(57)【要約】【課題】この発明は、間伐材を、その地域で有効利用することに着目し、バイオマス燃料に代替えしたい燃焼装置所有者に対して、代替燃料コストの負担をさせることなく、尚且つ、間伐材を木質ペレットやチップに製造する過程で発生するＣＯ2や廃グリセリンの焼却処分に伴うＣＯ2の二次排出をさせずに、簡単、尚且つ、確実に間伐材と廃グリセリンを有効利用して森林吸収源対策の実施を推進させることができる、廃グリセリン含有の木質バイオマス無償貸与サービスシステムを提供することを課題とする。【解決手段】この発明によって、その地域において間伐材と廃グリセリンの消費拡大を創出し、化石燃料からバイオマス燃料に代替えしたい燃焼装置所有者に対して、代替燃料のコストの負担をさせることなく、尚且つ、ＣＯ2の二次排出を防ぎ、簡単、尚且つ、確実に森林吸収源対策の実施を推進させることができる廃グリセリン含有の木質バイオマス無償貸与サービスシステムが提供される。【選択図】図１
2010079346.tif 000002
【特許請求の範囲】
【請求項１】
廃グリセリン含有の木質バイオマスを燃焼装置所有者に無償貸与し、化石燃料から木質バイオマスへ代替えすることで、ＣＯ2排出量削減に取り組み易くすることを特徴とする廃グリセリン含有の木質バイオマス無償貸与サービスシステム。
【請求項２】
燃焼装置所有者（Ｂ）は、廃グリセリン含有の木質バイオマスによる代替燃料のコストを代替燃料所有者（Ａ）から無償貸与されることを特徴とする請求項１に記載の廃グリセリン含有の木質バイオマス無償貸与サービスシステム。
【請求項３】
代替燃料所有者（Ａ）は、廃グリセリン含有の木質バイオマスを燃焼装置所有者（Ｂ）に無償貸与することで、燃焼装置がバイオマス燃料に転換して創出されるＣＯ2排出削減量を第三者の承認を得て排出権化し、その排出権を代替燃料所有者（Ａ）は廃グリセリン含有の木質バイオマスを無償貸与した対価として、燃焼装置所有者（Ｂ）から無償で譲渡を受けることを特徴とする請求項１〜請求項２に記載の廃グリセリン含有の木質バイオマス無償貸与サービスシステム。
【発明の詳細な説明】
【技術分野】
【０００１】
本発明は、森林吸収源対策を実施するについて廃グリセリン含有の木質バイオマス無償貸与サービスシステムに関する。
【背景技術】
【０００２】
京都会議ホスト国として批准したＣＯ2削減６％の実現に向けて、温暖化対策の大網にも盛り込まれている森林はＣＯ2を吸収・貯蔵して温暖化防止に役立つとされていて、ＣＯ2削減目標６％のうち３．９％を森林で吸収するとしている。
また、廃食油からリサイクルされるバイオディーゼル燃料も化石燃料の代替燃料として、温暖化防止を担っている。
【０００３】
しかし、ＣＯ2の吸収源としての森林機能を十分に発揮させるためには、伐採後に育林が行われていない個所の解消や、手入れが遅れている森林における間伐材の利用促進などの必要がある。また、バイオディーゼル燃料も製造時に副産物として出来る可燃性の廃グリセリンの廃棄処分に苦慮している。
【０００４】
森林において整備を通じて供給されている木材は、成長時にＣＯ2を吸収しており、燃やしても排出量はゼロとカウントされる。このため間伐材や建築廃材などから作る木質ペレットやチップを、代替エネルギーとしてストーブやボイラーで使えば、その分ＣＯ2の排出量を減らすことになるとされている。
【特許文献１】特開２００８−１９６７５７号公報
【発明の開示】
【発明が解決しようとする課題】
【０００５】
この発明は、地球温暖化対策を実施するに当たり、森林における間伐材を、その地域で有効利用することに着目し、化石燃料からバイオマス燃料に代替えしたい燃焼装置所有者に対して、代替燃料コストの負担をさせることなく、尚且つ、間伐材を木質ペレットやチップに製造する過程で発生するＣＯ2や廃グリセリンの焼却処分に伴うＣＯ2の二次排出をさせずに、簡単、尚且つ、確実に民間レベルで間伐材と廃グリセリンを有効利用して森林吸収源対策の実施を推進させることができる、廃グリセリン含有の木質バイオマス無償貸与サービスシステムを提供することを課題とする。
【課題を解決するための手段】
【０００６】
この発明の発明者は、上記の課題を解決すべく研究を行った結果、化石燃料からバイオマス燃料に代替えしたい燃焼装置所有者に対して、廃グリセリン含有の木質バイオマスを無償貸与することで代替燃料コストの負担をさせずに、間伐材と廃グリセリンをその地域で有効利用させ森林吸収源対策に取り組み易くすることとした。
【０００７】
代替燃料所有者は、廃グリセリン含有の木質バイオマスを無償貸与したことで、燃焼装置所有者が化石燃料からバイオマス燃料に転換して創出されるＣＯ2排出削減量を第三者の承認を得て排出権化して、その排出権を代替燃料所有者から廃グリセリン含有の木質バイオマスの無償貸与した対価として、燃焼装置所有者から無償で譲渡を受ける仕組みで行うことになる。
【０００８】
この発明によって、地球温暖化対策を実施するに当たり、その地域において間伐材と廃グリセリンの消費拡大を創出し、化石燃料からバイオマス燃料に代替えしたい燃焼装置所有者に対して、代替燃料のコストの負担をさせることなく、尚且つ、ＣＯ2の二次排出を防ぎ、簡単、尚且つ、確実に民間レベルで森林吸収源対策の実施を推進させることができる廃グリセリン含有の木質バイオマス無償貸与サービスシステムが提供される。
【発明の効果】
【０００９】
以上に述べた通り、本発明の廃グリセリン含有の木質バイオマス無償貸与サービスシステムによれば、日本国の目標であるＣＯ2削減６％のうち、３．９％を森林で吸収するとしている。森林吸収源対策による地球温暖化対策おいて、間伐材と廃グリセリンを有効利用することになり、間伐材の消費拡大などで森林の整備を着実に実施できる。
【００１０】
また、廃グリセリンの有効利用で焼却炉からのＣＯ2の二次排出を防ぎ、ＣＯ2排出量削減を森林活用で簡単、尚且つ、確実に実施でき、森林吸収源対策を推進させることに極めて有用である。
【実施例】
【００１１】
図１は本発明の実施例を示すブロック図である。
【００１２】
化石燃料からバイオマス燃料に代替えしたい燃焼装置所有者（Ｂ）に対して、廃グリセリン含有の木質バイオマスを無償貸与することにより、燃焼装置所有者（Ｂ）に代替燃料コストの負担をさせずに、間伐材と廃グリセリンをその地域で有効利用させ森林吸収源対策に取り組み易くすることとした。
【００１３】
また、燃焼装置所有者（Ｂ）は、廃グリセリン含有の木質バイオマスに係るバイオマス燃料であるコストの費用を代替燃料所有者（Ａ）から無償貸与されることで、簡単にバイオマス燃料に転換して森林吸収源対策を実施できるようになる。
【００１４】
代替燃料所有者（Ａ）は、廃グリセリン含有の木質バイオマスを無償貸与することで、燃焼装置所有者（Ｂ）が化石燃料からバイオマス燃料に転換して創出されるＣＯ2排出削減量を第三者（Ｃ）の承認を得て排出権化し、その排出権を代替燃料所有者から廃グリセリン含有の木質バイオマスの無償貸与した対価として、燃焼装置所有者（Ｂ）から無償で譲渡を受ける仕組みで行うことになる。
【００１５】
よって、地球温暖化対策を進めるについて、燃焼装置所有者（Ｂ）に対して代替燃料の負担をさせず、尚且つ、間伐材と廃グリセリンの消費拡大ができる。
【００１６】
また、間伐材と廃グリセリン関わる加工・焼却等でのＣＯ2の二次排出をさせずに、民間レベルで、簡単、且つ、確実に森林吸収源対策の実施を推進させることができる。
【図面の簡単な説明】
【００１７】
【図１】図１に示すブロック図は、廃グリセリン含有の木質バイオマスを利用して構成される廃グリセリン含有の木質バイオマス無償貸与サービスシステム説明図である。
【符号の説明】
【００１８】
Ａ．代替燃料所有者
Ｂ．燃焼装置所有者
Ｃ．第三者ＣＯ2排出量承認機関
【図１】
2010079346.tif 000003